(57)【要約】      （修正有）【課題】作業者の腕を上げた状態を支持するとともに、構造が簡易で、腕の動きに充分に対応し、装着がしやすい作業用腕支持具を提供する。【解決手段】作業者の胴体部の脇に沿って伸びる第１の棒状部材４と、上腕に沿って伸びる第２の棒状部材５と、第１の棒状部材４と前記第２の棒状部材５の端部を回転可能に連結する連結手段６を有する。連結手段６の近傍に設け、脇を支える脇当て部１０と、第１の棒状部材４の他端部に設けて胴体部に固定した胴体固定部１３と、第２の棒状部材５の他端部に設け、上腕を支える腕受け部１６を備える。連結手段６は、第１の棒状部材４と第２の棒状部材５の各一端部を回転可能に支持する支軸８と、この支軸８の軸受部に設けた脇当て部１０と一体のブラケット７と、第１の棒状部材４と第２の棒状部材５との間に掛け渡して一対の棒状部材を互いに開く方向に付勢するバネ部材９を備える。【選択図】図２
0003184245.tif 000002
【実用新案登録請求の範囲】
【請求項１】
作業者の上腕を支持するための補助具であって、
作業者の胴体部の脇に沿って伸びる第１の棒状部材と、
作業者の上腕に沿って伸びる第２の棒状部材と、
前記第１の棒状部材及び前記第２の棒状部材の各一端部を回転可能に連結する連結手段と、
前記連結手段の近傍に設けられ、作業者の脇を支える脇当て部と、
前記第１の棒状部材の他端部に設けられて作業者の胴体部に固定される胴体固定部と、
前記第２の棒状部材の他端部に設けられ、作業者の上腕を支える腕受け部と、を備え、
前記連結手段は、前記第１の棒状部材と前記第２の棒状部材の各一端部を回転可能に支持する支軸と、この支軸の軸受部が設けられた前記脇当て部と一体のブラケットと、前記第１の棒状部材と前記第２の棒状部材との間に掛け渡されて前記一対の棒状部材を互いに開く方向に付勢するバネ部材とを備えることを特徴とする作業用腕支持具。
【請求項２】
前記脇当て部は、少なくとも作業者の脇に当たる部分が曲面形状である請求項１に記載の作業用腕支持具。
【請求項３】
前記腕受け部は、作業者の上腕の一部を支える半筒状の腕載置部と、この腕載置部を第２の棒状部材に回転可能に支持するブラケットとを有する請求項１に記載の作業用腕支持具。
【請求項４】
前記バネ部材は、捩りコイルバネ、圧縮コイルバネ、板状バネのいずれかであり、一端が第１の前記棒状部材に固定され、他端が第２の棒状部材に固定される請求項１記載の作業用腕支持具。
【考案の詳細な説明】
【技術分野】
【０００１】
本考案は、上方の作業対象物に対して作業を行う際の、作業者の腕を上方にあげた状態での作業の軽労化を図ることを目的とした作業用腕支持具に関する。
【背景技術】
【０００２】
農作業、土木作業等においては、特定の姿勢を長時間強いられることも多く、例えば、棚栽培のブドウ園での作業、建設現場での作業では、腕を上にあげたままの状態で長時間作業を行わなければならないことが多く、作業者にとって非常に重労働な作業となっている。従来、作業者の補助や、労力の軽減を目的とする作業補助具としては、超弾性の特性を備える形状記憶合金によって付勢して、作業者の腕を上げる作業補助具が開示されている（特許文献１参照）。また、凹状の腕受け部と腕受け部を下から支持するパイプ材料等を用いた支持部材からなる腕支持具も開示されている（特許文献２参照）。
【先行技術文献】
【特許文献】
【０００３】
【特許文献１】特開２００９−１０６２７０号公報
【特許文献２】特開２０１０−２８４０９４号公報
【考案の概要】
【考案が解決しようとする課題】
【０００４】
ところで、作業者の腕を上げたままの作業を補助する作業補助具は、作業者の腕を上方に支持すると共に、補助具の作業者への装着がしやすく、できるだけ簡易な構造とすることによりコストがかからないことが求められる。これに対し、上記従来の作業補助具では、形状記憶合金等を用いているため、製造コストがかかる問題があった。また、構造が簡単で、簡易であっても、腕の動きに充分に対応できず、作業者の腕を上方に支持する効果が充分に得られないという問題があった。
【０００５】
本考案が解決しようとする課題は、上記従来技術の問題点を解決し、作業者の腕を上げた状態を支持するとともに、装着がしやすく、構造が簡易で、かつ、腕の動きに充分に対応する作業用腕支持具を提供することにある。
【課題を解決するための手段】
【０００６】
本考案は上記課題を達成するために次の構成を備える。
本考案に係る作業用腕支持具は、作業者の上腕を支持するための補助具であって、作業者の胴体部の脇に沿って伸びる第１の棒状部材と、作業者の上腕に沿って伸びる第２の棒状部材と、前記第１の棒状部材及び前記第２の棒状部材の各一端部を回転可能に連結する連結手段と、前記連結手段の近傍に設けられ、作業者の脇を支える脇当て部と、前記第１の棒状部材の他端部に設けられて作業者の胴体部に固定される胴体固定部と、前記第２の棒状部材の他端部に設けられ、作業者の上腕を支える腕受け部と、を備え、前記連結手段は、前記第１の棒状部材と前記第２の棒状部材の各一端部を回転可能に支持する支軸と、この支軸の軸受部が設けられた前記脇当て部と一体のブラケットと、前記第１の棒状部材と前記第２の棒状部材との間に掛け渡されて前記一対の棒状部材を互いに開く方向に付勢するバネ部材とを備えている。
【０００７】
また、本考案に係る作業用腕支持具の一形態によれば、前記脇当て部は、少なくとも作業者の脇に当たる部分が曲面形状である。
【０００８】
また、本考案に係る作業用腕支持具の一形態によれば、前記腕受け部は、作業者の上腕の一部を支える半筒状の腕載置部と、この腕載置部を第２の棒状部材に回転可能に支持するブラケットとを有する。
【０００９】
更に、本考案に係る作業用腕支持具の一形態によれば、前記バネ部材は、捩りコイルバネ、圧縮コイルバネ、板状バネのいずれかであり、一端が前記第１の棒状部材に固定され、他端が前記第２の棒状部材に固定されている。
【考案の効果】
【００１０】
本考案にかかる作業用腕支持具によれば、作業者の身体での負担を軽減させることができ、作業効率が上昇するとともに、構造が簡易で、装着がしやすいという効果を奏する。
【図面の簡単な説明】
【００１１】
【図１】本考案に係る作業用腕支持具の使用状態を示す図である。
【図２】本考案に係る作業用腕支持具の第１の実施形態を示す斜視図である。
【図３】上記作業用腕支持具の連結手段付近を示す側面図である。
【図４】上記作業用腕支持具の腕受け部を示す側面図である。
【図５】本考案の作業用腕支持具を折り畳んで収納する状態を示す斜視図である。
【図６】本考案に係る作業用腕支持具の第２の実施形態を示す斜視図である。
【考案を実施するための形態】
【００１２】
以下、本考案に係る作業用腕支持具の実施形態を添付図面に基づいて詳細に説明する。この作業用腕支持具は、上方の作業対象物に対して、作業者の上腕を上方にあげた状態を保持することを補助するものである。図１には、両方の腕の上腕３を支持するように二つの作業用腕支持具Ｓを作業者１が装着した場合を示しているが、一つの作業用腕支持具Ｓを一方の上腕３に装着して片腕を支持してもよい。
【００１３】
図１乃至図５には本考案の第１の実施形態に係る作業用腕支持具Ｓが示されており、符号４は第１の棒状部材であり、作業者１の胴体部２の脇に沿って伸びるように配置される。この第１の棒状部材４は、平板状の棒状体であり、平板を作業者１の胴体部２にあてがうことで、第１の棒状部材４を作業者１の胴体部２の脇に適切に沿わせることが可能となる。なお、第１の棒状部材４は、この実施例に示される形状に限定されず、例えば、円筒状の棒状体であってもよい。
【００１４】
第１の棒状部材４は、軽くて丈夫な素材で構成することが好ましく、例えば、アルミニウム製またはプラスチック製とすることができる。
【００１５】
さらに、第１の棒状部材４は、扁平状の筒形棒状部材４ａと、この筒形棒状部材４ａ内に出し入れされるスライド棒状部材４ｂとから構成することができる。筒形棒状部材４ａには一つの孔４ｃが、またスライド棒状部材４ｂには４つの孔４ｄがそれぞれ設けられており、孔同士を合わせダボ４ｅを差し込むことで、作業者１の体型に合わせて、第１の棒状部材４の長さを調節することができる。
【００１６】
５は第２の棒状部材であり、作業者１の上腕３に沿って伸びるように配置される。この第２の棒状部材５は、前記第１の棒状部材４と同様に、平板状の棒状体である。第２の棒状部材５を平板状とすることで、図５に示すように、折り畳んで収納する際に、収まりが良く、収納しやすいと追う利点がある。なお、第２の棒状部材５は、この実施例に示される形状に限定されず、例えば、円筒状の棒状体であってもよい。
【００１７】
この第２の棒状部材５は、上記第１の棒状部材４と同様に、軽くて丈夫な素材で構成することができ、例えば、アルミニウム製又はプラスチック製とすることができる。
【００１８】
６は前記第１の棒状部材４と第２の棒状部材５の端部同士を連結する連結手段であり、後述する脇当て部１０の下面１０ａに固定されたコ字形状のブラケット７と、このブラケット７の左右側面７ａ，７ｂに掛け渡された支軸８と、支軸８を中心として第１の棒状部材４と第２の棒状部材５との間に掛け渡されるバネ部材としての捩りコイルバネ９とを有する。
【００１９】
支軸８は、第１の棒状部材４及び第２の棒状部材５の各端部に設けられた支持孔に挿通され、さらにその支軸８の端部が前記ブラケット７の左右側面７ａ，７ｂに設けられた軸受孔に支持されることで、第１の棒状部材４及び第２の棒状部材５を回転可能に支持している。なお、支軸８の端部はブラケット７の外側からナット１１によって固定されている。このような構成からなる連結手段６により、第１の棒状部材４と前記第２の棒状部材５の各端部を回転可能に支持することができる。
【００２０】
捩りコイルバネ９は、中心のコイル部９ａが前記軸８の回りに巻装され、コイル部９ａから延びる一方の脚部９ｂの先端が第１の棒状部材４に設けられたフック１２ａに固定され、他方の脚部９ｃの先端が第２の棒状部材５に設けられたフック１２ｂに固定されるように配置される。このように、捩りコイルバネ９は、第１の棒状部材４と第２の棒状部材５との間に掛け渡されることで、第１の棒状部材４と前記第２の棒状部材５を開く方向に付勢する。第１の棒状部材４に対する第２の棒状部材５の開く角度の大きさや第２の棒状部材５で上腕を支える抵抗力は、捩りコイルバネ９のバネ力によって決まる。
【００２１】
上述したように、第１の棒状部材４と前記第２の棒状部材５の一端同士を回転可能に連結すると共に、前記一対の棒状部材４，５を常時開く方向に付勢する捩りコイルバネ９を適切に配置させたことで、捩りコイルバネ９の弾性力が適切に作用し、作業者の腕を上方に保持することが可能となる。なお、バネ部材としては、前記捩りコイルバネ９以外に圧縮コイルバネや板状バネなどを利用しても同様に作用させることができる。
【００２２】
前記脇当て部１０は、連結手段６のブラケット７に固定されている。作業者１の脇の下にあてがう上面１０ｂが半球面状に形成されている。そのため、作業者１の脇の下に違和感なくフィットするので、作業用腕支持具Ｓのぐらつきを抑えることが可能となり、作業者１の上腕３を支持する状態を安定的に保持することで、最適な状態で作業を補助することができる。
【００２３】
図１に示されるように、前記第２の棒状部材５の先端には作業者１の上腕３を下から支える腕受け部１６が設けられている。この腕受け部１６は、図２及び図４に示されるように、第２の棒状部材５の先端に回転可能に取付けられたブラケット１７と、このブラケット１７の上面に固定された半筒状の腕載置部１８とで構成される。ブラケット１７の下面には腕載置部１８の回転範囲を規制するストッパ爪１９が設けられており、図４（ｃ）に示したように、ストッパ爪１９が第２の棒状部材５に当たることで、腕載置部１８の外側への回転範囲を規制している。
【００２４】
また、腕載置部１８は、上腕３を載せ易いように略半円筒状に形成されている。このように、腕受け部１６に作業者１の上腕３に一部を載せることで、連結手段６に設けられた捩りコイルバネ９の弾性力が適切に作用して作業者１の上腕３を下から支え、上腕３を上方にあげた状態を安定的に保持することが可能となる。
【００２５】
図１に示されるように、第１の棒状部材４の下端には作業者１のベルト１４などに差し込まれる胴体固定部１３が設けられる。この胴体固定部１３は、図２に示されるように、スライド棒状部材４ｂと一体に設けられ、筒形棒状部材４ａに対して長さ調整が可能となっている。また、胴体固定部１３は、２枚の板材１５ａ，１５ｂを重ねて配置し、先端部分で板材１５ａ，１５ｂが弾性的に開くように構成されている。そのため、板材１５ａ，１５ｂの先端部分を作業者１の被服のベルト１４を差し込むことで、第１の棒状部材４をベルト１４に固定することができる。
【００２６】
このように、胴体固定部１３をベルト１４に差し込み又はベルト１４から抜き取るだけで、作業用腕支持具Ｓを容易に着脱することができる。なお、この胴体固定部１３としては、上述の作業者１が着用する被服のベルト１４に差し込む構造に限らず、作業者１の胴体に確実に固定される形態であればよい。また、この胴体固定部１３には、作業者１の被服からの抜け止め手段を設けてもよい。
【００２７】
図６には本考案に係る作業用腕支持具の第２の実施形態が示されている。この作業用腕支持具Ｓ’は、脇当て部１０’および腕受け部１６’の形状や構成、また身体に固定するための胴巻きバンド２１を備えている点が第一実施形態に係る作業用腕支持具Ｓと相違するのみで、他の点は作業用腕支持具Ｓと共通するので、共通する部材については同一の符号を付すことで、詳細な説明を省略する。
【００２８】
この実施形態の脇当て部１０’は、全体が略長円形状に形成されている。脇の下にあてがった時に、脇当て部１０’の両端部分が脇の前後にはみ出すことで、作業中に腕を前後に動かしても脇当て部１０’が脇の下から外れにくくなるため、作業がし易くなる。
【００２９】
また、この実施形態の腕受け部１６’には、腕受け部材１８’に腕固定バンド２２が設けられている。腕載置部１８’と腕固定バンド２２に面ファスナ２３ａ，２３ｂを設けておくことで、作業字には腕受け部１６’を上腕にしっかりと固定しておくことができる。
【００３０】
また、胴巻きバンド２１は、作業用腕支持具Ｓ’の装着をより確実にするためのもので、脇当て部１０’の付近で第１の棒状部材４にリング部材２４を固定し、胴巻きバンド２１の両端にフック２５ａ，２５ｂを設けたものである。胴巻きバンド２１には長さ調整機構が設けられている。作業者は作業用腕支持具Ｓ’の装着時には、第１の棒状部材４の下端に設けられた胴体固定部１３をベルトの差し込むと共に胴巻きバンド２１で身体に固定することで、作業用腕支持具Ｓ’がしっかりと身体に固定されて作業中も安定した状態を確保することができる。
【符号の説明】
【００３１】
Ｓ、Ｓ’  作業用腕支持具
１  作業者
２  胴体部
３  上腕
４  第１の棒状部材
４ａ  筒形棒状部材
４ｂ  スライド棒状部材
４ｃ  筒形棒状部材の孔
４ｄ  スライド棒状部材の孔
４ｅ  ダボ
５  第２の棒状部材
６  連結手段
７  ブラケット
７ａ、７ｂ  側面
８  支軸
９  捩りコイルバネ（バネ部材）
９ａ  コイル部
９ｂ、９ｃ  脚部
１０、１０’  脇当て部
１０ａ  下面
１０ｂ  下面
１１  ナット
１２ａ、１２ｂ  フック
１３  胴体固定部
１４  ベルト
１５  板材
１６、１６’  腕受け部
１７  ブラケット
１８、１８’  腕載置部
１９  ストッパ爪
２１  胴巻きバンド
２２  腕固定バンド
２３ａ、２３ｂ  面ファスナ
２４  リング部材
２５ａ、２５ｂ  フック
【図１】
0003184245.tif 000003
【図２】
0003184245.tif 000004
【図３】
0003184245.tif 000005
【図４】
0003184245.tif 000006
【図５】
0003184245.tif 000007
【図６】
0003184245.tif 000008